(57)【要約】【課題】ＴＴ接地方式で供給される配電系統の末端においてはＩＣタグ付接地極コンセントと、回路点検時に用いる３線式測定対象体とし、配電盤のリミッターの２次側中性相幹線に設置された電流検出送信装置と、その送信結果を携帯端末装置で表示する手段を具備する。【解決手段】分岐漏電ブレーカ遮断手段で開放回路とし、未検出分岐回路においては、回路点検時に用いる３線式測定対象体をＩＣタグ付接地極コンセントに接続し、操作手段で開路の主幹ブレーカを手動手段で投入し、前記操作手段で共に開放のゼロクロススイッチを手動手段で投入する事で、分岐漏電ブレーカ負荷部のＩＣタグ付接地極コンセントに接続された３線式測定対象体に係る第１の消費電流と、一次送り回路に係る第２の消費電流と、を配電盤のリミッターの２次側中性相幹線に設置された電流検出送信装置と、その送信結果を携帯端末装置で表示する手段を有した電流検出装置。【選択図】図３
2012137504.tif 000002
【特許請求の範囲】
【請求項１】
ＴＴ接地方式で供給の単相３線式変圧器の２次側巻線の中性線側を大地に接地と、電路の負荷側に配される配電盤の接地用端子を大地に接地と、ＴＴ接地方式の配電系統の末端においてもＩＣタグ付接地極コンセントと、前記配電盤の分岐漏電ブレーカと、負荷部との間に介設された電源線と中性線と接地線を有する負荷部の電源線側ホタルスイッチと、機器の電源線側ゼロクロススイッチを有し、前記負荷部との間に介設された電源極と中性極及び接地極を有するＩＣタグ付接地極コンセントであって、
回路点検時に使用するＩＣタグ付接地極コンセントに接続するトラッキング測定対象体と、３線式測定対象体及び２線式測定対象体と、測定対象体に係る漏れ電流検出手段と分岐漏電ブレーカ遮断手段を備え、前記測定対象体に係る漏れ電流を、電源Ｌ側のネオン電流制限抵抗と漏れ電流表示手段の制限電流を中性相幹線に挿入し、前記分岐漏電ブレーカの負荷部の漏れ電流検出手段と分岐漏電ブレーカ遮断手段を有する電流検出装置。
【請求項２】
漏れ電流が未検出分岐回路であって、配電盤のリミッターを手動で開路し、一次送り回路のＤＣ操作装置で主幹ブレーカを開路にし、前記未検出分岐回路の末端において、ＩＣタグ付接地極コンセントと、回路点検時に用いる３線式測定対象体を接続し、前記主幹ブレーカを手動手段で投入し、前記操作手段で共に開放のゼロクロススイッチを手動手段で投入する事で、前記未検出分岐回路の末端に接続された、３線式測定対象体に係る第１の消費電流と、一次送り回路に係る第２の消費電流と、配電盤のリミッターの２次側中性相幹線に設置された電流検出送信装置と、携帯端末装置で表示する手段を有する請求項１記載の電流検出装置。
【請求項３】
回路点検時に用いるＩＣタグ付接地極コンセントに接続される２線式測定対象体と、非接触型測定器の電流検出手段と、分岐漏電ブレーカと電源側スイッチに直列接続したネオン電流制限抵抗と漏れ電流表示手段と負荷側スイッチを備え、分岐漏電ブレーカと負荷部との間に介設された電源線と中性線と接地線を有する負荷部の電源線側スイッチは、ホタルスイッチと機器の電源線側スイッチはゼロクロススイッチを有し、前記負荷部との間に介設された電源極と中性極及び接地極Ｅを有するＩＣタグ付接地極コンセントに接続された２線式測定対象体であって、
前記２線式測定対象体の電源線と接地線Ｅの間に係る洩れ電流が、所定値を越えて流れたとき分岐漏電ブレーカの検出手段で遮断し、前記分岐漏電ブレーカの電源側スイッチに直列接続したネオン電流制限抵抗と漏れ電流表示手段と負荷側スイッチを用いて、前記分岐漏電ブレーカ負荷部のＩＣタグ付接地極コンセントに接続された２線式測定対象体の電源線と接地線Ｅの間と中性線と接地線Ｅの間に係る洩れ電流を、前記漏れ電流表示手段で表示し、前記非接触型測定器で漏れ電流を検知する手段を有した請求項１記載の電流検出装置。
【請求項４】
回路点検時に用いるＩＣタグ付接地極コンセントに接続される３線式測定対象体と、配電盤の接地極線に設けた測定用端子と測定機器と、分岐漏電ブレーカと電源側スイッチに直列接続したネオン電流制限抵抗と漏れ電流表示手段と負荷側スイッチを備え、分岐漏電ブレーカと負荷部との間に介設された電源線と中性線と接地線を有する負荷部の電源線側スイッチは、ホタルスイッチと機器の電源線側スイッチはゼロクロススイッチを有し、前記負荷部との間に介設された電源極と中性極及び接地極を有するＩＣタグ付接地極コンセントであって、
前記分岐漏電ブレーカ負荷部の電源線と接地線の間に係る洩れ電流が、所定値を越えて流れたとき分岐漏電ブレーカの検出手段で遮断し、前記分岐漏電ブレーカの電源側スイッチに直列接続したネオン電流制限抵抗と漏れ電流表示手段と負荷側スイッチを用いて、前記分岐漏電ブレーカ負荷部の中性線と接地線の間及び負荷部の電源線と接地線の間に係る洩れ電流を、前記漏れ電流表示手段で表示し、前記配電盤の接地極線に設けた測定用端子と測定機器で漏れ電流を測定する手段を有した請求項１記載の電流検出装置。 
【発明の詳細な説明】
【技術分野】
【０００１】
本発明は、操作手段で開路の主幹ブレーカを手動手段で投入し、前記操作手段で共に開放のゼロクロススイッチを、手動手段で投入する事で、分岐漏電ブレーカ負荷部のＩＣタグ付接地極コンセントに接続された測定対象体に係る第１の消費電流と、一次送り回路に係る第２の消費電流と、を配電盤のリミッターの２次側中性相幹線に設置された電流検出送信装置と、その送信結果を携帯端末装置で表示する手段と、漏れ電流を検知遮断手段と測定手段を有した電流検出装置に関するものである。
【背景技術】
【０００２】
近年、単相３線式変圧器と、当該変圧器の２次側巻線の中性線側を大地に接地すると同時に、電路の負荷側に配される配電盤の接地用端子を接地したＴＴ接地方式の配電系統の末端に、ＩＣタグ付接地極コンセントを接続した配電設備がある（例えば特許文献１及び２参照。）
【０００３】
なお、上記配電盤７０の分岐漏電ブレーカ６負荷側回路８と、ＩＣタグ付接地極コンセント３４に接続された３線式測定対象体８３を用いた、漏れ電流箇所に係る測定手段において、前記配電盤７０のリミッター１１を手動で開路し、一次送り回路１２のＤＣ操作装置１４で主幹ブレーカ１３を開路にし、ＤＣ操作装置１５で放電スイッチを投入と開放し、中性相幹線１０の帯電を放電とし、前記リミッター１１を手動で投入し、操作釦１６と操作釦１７で中性相幹線１０の切換スイッチ４１を投入し、電源Ｌ側のネオン電流制限抵抗４２と漏れ電流表示手段４３の制限電流を中性相幹線１０に挿入し、前記分岐漏電ブレーカ６の回路表示Ｎ側を点灯表示し、前記分岐漏電ブレーカ６負荷側回路８は、漏れ電流箇所と確認するものである（実用新案登録文献１参照。）。
【先行技術文献】
【特許文献】
【０００４】
【特許文献１】特開２００６−５３００６号公報（第４頁、図２）
【特許文献２】特開２００９−２４５７９２号公報（第３頁、図１）
【特許文献３】登録第３１６９６１１号公報（第７頁、図２）
【発明の概要】
【発明が解決しようとする課題】
【０００５】
しかしながら、上記配電盤７０の分岐漏電ブレーカ６負荷側回路８と、ＩＣタグ付接地極コンセント３４に接続された３線式測定対象体８３の、漏れ電流箇所に係る測定手段においては、前記配電盤７０のリミッター１１を手動で開路し、一次送り回路１２のＤＣ操作装置１４で主幹ブレーカ１３を開路にし、ＤＣ操作装置１５で放電スイッチを投入と開放し、中性相幹線１０の帯電を放電とし、
前記リミッター１１を手動で投入し、操作釦１６と操作釦１７で中性相幹線１０の切換スイッチ４１を投入し、電源Ｌ側のネオン電流制限抵抗４２と漏れ電流表示手段４３の制限電流を中性相幹線１０に挿入し、前記分岐漏電ブレーカ６の回路表示Ｎ側を点灯表示し、前記分岐漏電ブレーカ６負荷側回路８は、漏れ電流箇所と確認する、と成って要るが、漏れ電流箇所に係る測定手段において、配電盤７０に係る未検出分岐回路における、保護操作と省電力化を図る課題は、示されていない。
【０００６】
そこで、本件の目的とするところは、ＴＴ接地方式で供給の単相３線式変圧器の２次側巻線の中性線側を大地に接地６５し、電路の負荷側に配される配電盤７０の接地用端子７１を大地に接地７３したＴＴ接地方式の配電系統の末端にＩＣタグ付接地極コンセント３４を接続した配電設備において、
配電盤７０に係る未検出分岐回路における、保護操作と漏れ電流検出手段８６と分岐漏電ブレーカ遮断手段８７を有し、なお、配電盤の分岐回路は、漏れ電流検出開放分岐回路と漏れ電流は未検出分岐回路を提供する。
【課題を解決するための手段】
【０００７】
上記の課題を解決するため、本発明の請求項１では、
ＴＴ接地方式で供給の単相３線式変圧器の２次側巻線の中性線側を大地に接地６５と、電路の負荷側に配される配電盤７０の接地用端子７１を大地に接地７３と、ＴＴ接地方式の配電系統の末端においてもＩＣタグ付接地極コンセント３４と、前記配電盤７０の分岐漏電ブレーカ６と、負荷部８との間に介設された電源線２１と中性線２２と接地線２３を有する負荷部８の電源線側ホタルスイッチ８１と、機器の電源線側ゼロクロススイッチ８２を有し、前記負荷部８との間に介設された電源極３１と中性極３２及び接地極３３を有するＩＣタグ付接地極コンセント３４であって、回路点検時に使用するＩＣタグ付接地極コンセント３４に接続するトラッキング測定対象体８５と、３線式測定対象体８３及び２線式測定対象体８４と、測定対象体に係る漏れ電流検出手段８６と分岐漏電ブレーカ遮断手段８７を備え、前記測定対象体に係る漏れ電流を、
電源Ｌ側のネオン電流制限抵抗４２と漏れ電流表示手段４３の制限電流を中性相幹線１０に挿入し、前記分岐漏電ブレーカ６負荷部の漏れ電流検出手段８６と分岐漏電ブレーカ遮断手段８７を有する電流検出装置。
なお、配電盤の分岐回路は、漏れ電流検出開放分岐回路と漏れ電流は未検出分岐回路になる。
【０００８】
次に、本発明の請求項２では、漏れ電流が未検出分岐回路において、配電盤７０のリミッター１１を手動で開路し、一次送り回路１２のＤＣ操作装置１４で主幹ブレーカ１３を開路にし、前記未検出分岐回路の末端において、ＩＣタグ付接地極コンセント３４と、回路点検時に用いる３線式測定対象体８３を接続し、前記主幹ブレーカ１３を手動手段で投入し、前記操作手段１４で共に開放のゼロクロススイッチ８２を手動手段で投入する事で、前記未検出分岐回路の末端に接続された、３線式測定対象体８３に係る第１の消費電流４５と、一次送り回路１１に係る第２の消費電流４６と、を配電盤７０のリミッター１１の２次側中性相幹線７４に設置された電流検出送信装置７５と携帯端末装置で表示する手段を有する電流検出装置。
なお、未検出分岐回路の末端に接続された３線式測定対象体に係る第１の消費電流と限定し、その送信結果を携帯端末装置で表示する手段が可能となる。
【０００９】
請求項３においては、回路点検時に用いるＩＣタグ付接地極コンセント３４に接続される２線式測定対象体８４と、非接触型測定器７９の電流検出手段と、分岐漏電ブレーカ６と電源側スイッチ５１に直列接続したネオン電流制限抵抗５２と漏れ電流表示手段５３と負荷側スイッチ５４を備え、分岐漏電ブレーカ６と負荷部８との間に介設された電源線２１と中性線２２と接地線２３を有する負荷部８の電源線側スイッチは、ホタルスイッチ８１と機器の電源線側スイッチはゼロクロススイッチ８２を有し、前記負荷部８との間に介設された電源極３１と中性極３２及び接地極Ｅを有するＩＣタグ付接地極コンセント３４に接続された２線式測定対象体８４であって、
前記２線式測定対象体８４の電源線２１と接地線Ｅの間に係る洩れ電流が、所定値を越えて流れたとき分岐漏電ブレーカ６の検出手段で遮断し、前記分岐漏電ブレーカ６の電源側スイッチ５１に直列接続したネオン電流制限抵抗５２と漏れ電流表示手段５３と負荷側スイッチ５４を用いて、前記分岐漏電ブレーカ６負荷部８のＩＣタグ付接地極コンセント３４に接続された２線式測定対象体８４の電源線２１と接地線Ｅの間と中性線２２と接地線Ｅの間に係る洩れ電流を、前記漏れ電流表示手段５３で表示し、前記非接触型測定器７９で漏れ電流を検知する手段を有した電流検出装置。
なお、漏れ電流箇所を負荷側の中性線側と限定し、非接触型測定器を用いた検知が可能となる。
【００１０】
請求項４においては、回路点検時に用いるＩＣタグ付接地極コンセント３４に接続される３線式測定対象体８３と、配電盤７０の接地極線７２に設けた測定用端子７１と測定機器７４と、分岐漏電ブレーカ６と電源側スイッチ５１に直列接続したネオン電流制限抵抗５２と漏れ電流表示手段５３と負荷側スイッチ５４を備え、分岐漏電ブレーカ６と負荷部８との間に介設された電源線２１と中性線２２と接地線２３を有する負荷部８の電源線側スイッチは、ホタルスイッチ８１と機器の電源線側スイッチはゼロクロススイッチ８２を有し、前記負荷部８との間に介設された電源極３１と中性極３２及び接地極３３を有するＩＣタグ付接地極コンセント３４であって、
前記分岐漏電ブレーカ８負荷部の電源線２１と接地線２３の間に係る洩れ電流が、所定値を越えて流れたとき分岐漏電ブレーカ６の検出手段で遮断し、前記分岐漏電ブレーカ６の電源側スイッチ５１に直列接続したネオン電流制限抵抗５２と漏れ電流表示手段５３と負荷側スイッチ５４を用いて、前記分岐漏電ブレーカ６負荷部の中性線２２と接地線２３の間、及び負荷部の電源線２１と接地線２３の間に係る洩れ電流を、前記漏れ電流表示手段５３で表示し、前記配電盤７０の接地極線７２に設けた測定用端子７１と測定機器７４で漏れ電流を測定する手段を有した電流検出装置。
なお、漏れ電流箇所を負荷部の中性線側と限定し、測定用端子と測定機器で漏れ電流の測定が可能となる。
【発明の効果】
【００１１】
請求項１の発明によれば、ＴＴ接地方式で供給の単相３線式変圧器の２次側巻線の中性線側を大地に接地と、電路の負荷側に配される配電盤の接地用端子を大地に接地と、ＴＴ接地方式の配電系統の末端においてもＩＣタグ付接地極コンセントと、前記配電盤の分岐漏電ブレーカと、負荷部との間に介設された電源線と中性線と接地線を有する負荷部の電源線側ホタルスイッチと、機器の電源線側ゼロクロススイッチを有し、前記負荷部との間に介設された電源極と中性極及び接地極を有するＩＣタグ付接地極コンセントであって、回路点検時に使用するＩＣタグ付接地極コンセントに接続するトラッキング測定対象体と、３線式測定対象体及び２線式測定対象体と、測定対象体に係る漏れ電流検出手段と分岐漏電ブレーカ遮断手段を備え、前記測定対象体に係る漏れ電流を、電源Ｌ側のネオン電流制限抵抗と漏れ電流表示手段の制限電流を中性相幹線に挿入し、前記分岐漏電ブレーカ負荷部の漏れ電流検出手段と分岐漏電ブレーカ遮断手段を有する電流検出装置。
なお、配電盤の分岐回路は、漏れ電流検出開放分岐回路と漏れ電流は未検出分岐回路になる。
【００１２】
次に、本発明の請求項２では、漏れ電流が未検出分岐回路においては、前記配電盤のリミッターを手動で開路し、一次送り回路のＤＣ操作装置で主幹ブレーカを開路にし、前記未検出分岐回路の末端において、ＩＣタグ付接地極コンセントと、回路点検時に用いる３線式測定対象体を接続し、前記主幹ブレーカを手動手段で投入し、前記操作手段で共に開放のゼロクロススイッチを手動手段で投入する事で、前記未検出分岐回路の末端に接続された、３線式測定対象体に係る第１の消費電流と、一次送り回路に係る第２の消費電流と、を配電盤のリミッターの２次側中性相幹線に設置された電流検出送信装置と携帯端末装置で表示する手段を有する電流検出装置。
なお、未検出分岐回路の末端に接続された３線式測定対象体に係る第１の消費電流と限定し、その送信結果を携帯端末装置で表示する手段が可能となる。
【００１３】
請求項３の発明によれば、回路点検時に用いるＩＣタグ付接地極コンセントに接続される２線式測定対象体と、非接触型測定器の電流検出手段と、分岐漏電ブレーカと電源側スイッチに直列接続したネオン電流制限抵抗と漏れ電流表示手段と負荷側スイッチを備え、分岐漏電ブレーカと負荷部との間に介設された電源線と中性線と接地線を有する負荷部の電源線側スイッチは、ホタルスイッチと機器の電源線側スイッチはゼロクロススイッチを有し、前記負荷部との間に介設された電源極と中性極及び接地極Ｅを有するＩＣタグ付接地極コンセントに接続された２線式測定対象体であって、前記２線式測定対象体の電源線と接地線Ｅの間に係る洩れ電流が、所定値を越えて流れたとき分岐漏電ブレーカの検出手段で遮断し、前記分岐漏電ブレーカの電源側スイッチに直列接続したネオン電流制限抵抗と漏れ電流表示手段と負荷側スイッチを用いて、前記分岐漏電ブレーカ負荷部に接続のＩＣタグ付接地極コンセントに接続された２線式測定対象体の電源線と接地線Ｅの間と中性線と接地線Ｅの間に係る洩れ電流を、前記漏れ電流表示手段で表示し、前記非接触型測定器で漏れ電流を検知する手段を有した電流検出装置。
なお、漏れ電流箇所を負荷部の中性線側と限定し、非接触型測定器を用いた検知が可能となる。
【００１４】
請求項４の発明によれば、回路点検時に用いるＩＣタグ付接地極コンセントに接続される３線式測定対象体と、配電盤の接地極線に設けた測定用端子と測定機器と、分岐漏電ブレーカと電源側スイッチに直列接続したネオン電流制限抵抗と漏れ電流表示手段と負荷側スイッチを備え、分岐漏電ブレーカと負荷部との間に介設された電源線と中性線と接地線を有する負荷部の電源線側スイッチは、ホタルスイッチと機器の電源線側スイッチはゼロクロススイッチを有し、前記負荷部との間に介設された電源極と中性極及び接地極を有するＩＣタグ付接地極コンセントであって、
前記分岐漏電ブレーカ負荷部の電源線と接地線の間に係る洩れ電流が、所定値を越えて流れたとき分岐漏電ブレーカの検出手段で遮断し、前記分岐漏電ブレーカの電源側スイッチに直列接続したネオン電流制限抵抗と漏れ電流表示手段と負荷側スイッチを用いて、前記分岐漏電ブレーカ負荷側の中性線と接地線の間、及び負荷側の電源線と接地線の間に係る洩れ電流を、前記漏れ電流表示手段で表示し、前記配電盤の接地極線に設けた測定用端子と測定機器で漏れ電流を測定する手段を有した電流検出装置。
なお、漏れ電流箇所を負荷部の中性線側と限定し、測定用端子と測定機器で漏れ電流の測定が可能となる。
【図面の簡単な説明】
【００１５】
【図１】本発明の実施の形態に係る分岐漏電ブレーカの負荷部Ｎ側７Ｎと漏れ電流検出手段と分岐漏電ブレーカ遮断手段を有する電気的構成を示すブロック図である。
【図２】本発明の実施の形態に係る未開放回路の末端に接続された３線式測定対象体に係る第１の消費電流と限定し、その送信結果を携帯端末装置で表示する手段を有した電気的構成を示すブロック図である。
【図３】本発明の実施の形態に係る漏れ電流箇所を負荷側の中性線側と限定し、非接触型測定器検知する手段を有した電気的構成を示すブロック図である。
【図４】本発明の実施の形態に係る漏れ電流箇所を負荷側の中性線側と限定し、測定用端子と測定機器で漏れ電流の測定を有した電気的構成を示すブロック図である。
【図５】実用新案登録文献１の実施の形態に係る分岐漏電ブレーカと負荷部との間に介設された電源極、中性極および接地極を有するＩＣタグ付接地極コンセントに接続された３線式測定対象体と、配電盤の接地極線に設けた測定用端子と測定機器を用いて、回路点検と測定を示すブロック図である。
【発明を実施するための形態】
【実施例１】
【００１６】
図１は、本発明の実施の形態に係る分岐漏電ブレーカの負荷部Ｎ側７Ｎと漏れ電流検出手段と分岐漏電ブレーカ遮断手段を有する電気的構成を示すブロック図である。ＴＴ接地方式で供給の単相３線式変圧器の２次側巻線の中性線側を大地に接地６５と、電路の負荷側に配される配電盤７０の接地用端子７１を大地に接地７３と、ＴＴ接地方式の配電系統の末端においてもＩＣタグ付接地極コンセント３４と、前記配電盤７０の分岐漏電ブレーカ６と、負荷部８との間に介設された電源線２１と中性線２２と接地線２３を有する負荷部８の電源線側ホタルスイッチ８１と、機器の電源線側ゼロクロススイッチ８２を有し、前記負荷部８との間に介設された電源極３１と中性極３２及び接地極３３を有するＩＣタグ付接地極コンセント３４であって、
回路点検時に使用するＩＣタグ付接地極コンセント３４に接続するトラッキング測定対象体８５と、３線式測定対象体８３及び２線式測定対象体８４と、測定対象体に係る漏れ電流検出手段８６と分岐漏電ブレーカ遮断手段８７を備え、前記測定対象体に係る漏れ電流を、電源Ｌ側のネオン電流制限抵抗４２と漏れ電流表示手段４３の制限電流を中性相幹線１０に挿入し、前記分岐漏電ブレーカ６の負荷部の漏れ電流検出手段８６と分岐漏電ブレーカ遮断手段８７を有する電流検出装置。
なお、配電盤の分岐回路は、漏れ電流検出開放分岐回路と漏れ電流未検出分岐回路になる。
【実施例２】
【００１７】
図２は、本発明の実施の形態に係る未開放回路の末端に接続された３線式測定対象体に係る第１の消費電流と限定し、その送信結果を携帯端末装置で表示する手段を有した電気的構成を示すブロック図である。漏れ電流が未検出分岐回路であって、配電盤７０のリミッター１１を手動で開路し、一次送り回路１２のＤＣ操作装置１４で主幹ブレーカ１３を開路にし、前記未検出分岐回路の末端において、ＩＣタグ付接地極コンセント３４と、回路点検時に用いる３線式測定対象体８３を接続し、前記主幹ブレーカ１３を手動手段で投入し、前記操作手段１４で共に開放のゼロクロススイッチ８２を手動手段で投入する事で、前記未検出分岐回路の末端に接続された、３線式測定対象体８３に係る第１の消費電流４５と、一次送り回路１１に係る第２の消費電流４６と、を配電盤７０のリミッター１１の２次側中性相幹線７４に設置された電流検出送信装置７５と携帯端末装置で表示する手段を有する電流検出装置。
なお、未検出分岐回路の末端に接続された３線式測定対象体に係る第１の消費電流と限定し、その送信結果を携帯端末装置で表示する手段が可能となる。
【実施例３】
【００１８】
図３は、本発明の実施の形態に係る漏れ電流箇所を負荷側の中性線側と限定し、非接触型測定器検知する手段を有した電気的構成を示すブロック図である。
回路点検時に用いるＩＣタグ付接地極コンセント３４に接続される２線式測定対象体８４と、非接触型測定器７９の電流検出手段と、分岐漏電ブレーカ６と電源側スイッチ５１に直列接続したネオン電流制限抵抗５２と漏れ電流表示手段５３と負荷側スイッチ５４を備え、分岐漏電ブレーカ６と負荷部８との間に介設された電源線２１と中性線２２と接地線２３を有する負荷部８の電源線側スイッチは、ホタルスイッチ８１と機器の電源線側スイッチはゼロクロススイッチ８２を有し、前記負荷部８との間に介設された電源極３１と中性極３２及び接地極Ｅを有するＩＣタグ付接地極コンセント３４に接続された２線式測定対象体８４であって、
前記２線式測定対象体８４の電源線２１と接地線Ｅの間に係る洩れ電流が、所定値を越えて流れたとき分岐漏電ブレーカ６の検出手段で遮断し、前記分岐漏電ブレーカ６の電源側スイッチ５１に直列接続したネオン電流制限抵抗５２と漏れ電流表示手段５３と負荷側スイッチ５４を用いて、前記分岐漏電ブレーカ６負荷部８に接続のＩＣタグ付接地極コンセント３４に接続された２線式測定対象体８４の電源線２１と接地線Ｅの間と中性線２２と接地線Ｅの間に係る洩れ電流を、前記漏れ電流表示手段５３で表示し、前記非接触型測定器７９で漏れ電流を検知する手段を有した電流検出装置。
なお、漏れ電流箇所を負荷部の中性線側と限定し、非接触型測定器を用いた検知が可能となる。
【実施例４】
【００１９】
図４は、本発明の実施の形態に係る漏れ電流箇所を負荷側の中性線側と限定し、測定用端子と測定機器で漏れ電流の測定を有した電気的構成を示すブロック図である。回路点検時に用いるＩＣタグ付接地極コンセント３４に接続される３線式測定対象体８３と、配電盤７０の接地極線７２に設けられた測定用端子７１と測定機器７４と、分岐漏電ブレーカ６と電源側スイッチ５１に直列接続したネオン電流制限抵抗５２と漏れ電流表示手段５３と負荷側スイッチ５４を備え、分岐漏電ブレーカ６と負荷部８との間に介設された電源線２１と中性線２２と接地線２３を有する負荷部８の電源線側スイッチは、ホタルスイッチ８１と機器の電源線側スイッチはゼロクロススイッチ８２を有し、前記負荷部８との間に介設された電源極３１と中性極３２及び接地極３３を有するＩＣタグ付接地極コンセント３４であって、
前記分岐漏電ブレーカ８負荷部の電源線２１と接地線２３の間に係る洩れ電流が、所定値を越えて流れたとき分岐漏電ブレーカ６の検出手段で遮断し、前記分岐漏電ブレーカ６の電源側スイッチ５１に直列接続したネオン電流制限抵抗５２と漏れ電流表示手段５３と負荷側スイッチ５４を用いて、前記分岐漏電ブレーカ６負荷部の中性線２２と接地線２３の間、及び負荷側の電源線２１と接地線２３の間に係る洩れ電流を、前記漏れ電流表示手段５３で表示し、前記配電盤７０の接地極線７２に設けた測定用端子７１と測定機器７４で漏れ電流を測定する手段を有した電流検出装置。
なお、漏れ電流箇所を負荷部の中性線側と限定し、測定用端子と測定機器で漏れ電流の測定が可能となる。
【符号の説明】
【００２０】
６  分岐漏電ブレーカ
７  回路表示Ｎ側７Ｎ
８  負荷部
９  回路表示Ｌ側９Ｌ１０  中性相幹線
１１  リミッター
１２  一次送り回路
１３  主幹ブレーカ
１４  ＤＣ操作装置
１５  ＤＣ操作装置  放電スイッチを投入と開放
１６  ＤＣ操作装置  中性相幹線１０
１７  操作釦操作釦
２１  電源線
２２  中性線
２３  接地線
３１  電源極  
３２  中性極
３３  接地極
３４  ＩＣタグ付接地極コンセント
４１  電源側スイッチ  
４２  電源Ｌ側のネオン電流制限抵抗
４３  漏れ電流表示手段の制限電流
４４  負荷側スイッチ
４５  第１の消費電流
４６  第２の消費電流
５１  電源側スイッチ
５２  ネオン電流制限抵抗
５３  漏れ電流表示手段で表示し
５４  負荷側スイッチ
６１  単相３線式変圧器
６２  当該変圧器の２次側巻線
６３  中性線側
６４  接地線
６５  中性線側を大地に接地
７０  配電盤
７１  接地用端子
７２  接地極線
７３  大地に接地
７４  測定機器
７５  ２次側中性相幹線に設置された電流検出送信装置
７６  その送信結果を携帯端末装置で表示する手段
７９  非接触型測定器
８１  電源線側ホタルスイッチ
８２  ゼロクロススイッチ
８３  ３線式測定対象体
８４  ２線式測定対象体
８５  トラッキング測定対象体
８６  漏れ電流検出手段
８７  分岐漏電ブレーカ遮断手段
Ｅ  接地線Ｅ 
【図１】
2012137504.tif 000003
【図２】
2012137504.tif 000004
【図３】
2012137504.tif 000005
【図４】
2012137504.tif 000006
【図５】
2012137504.tif 000007